(57)【要約】【課題】花材を生け花としていける直前まで花材を保存することができると共に、この保存中に花袋が倒れることが防止された花袋を提供する。【解決手段】本発明の花袋１００は、上端に開閉可能な開口部１２を有する第１の袋１０と、前記第１の袋１０の下部に設けられた貯水部２０と、前記第１の袋１０の外の上端部に取り付けられ該第１の袋１０を他の物につなぎ止めるための止め具５０と、を備える。【選択図】図１
2008133047.tif 000002
【特許請求の範囲】
【請求項１】
上端に開閉可能な開口部を有する第１の袋と、前記第１の袋の下部に設けられた貯水部と、前記第１の袋の外の上端部に取り付けられ該第１の袋を他の物につなぎ止めるための止め具と、を備えた花袋。
【請求項２】
前記第１の袋の開口部が該開口部に設けられたファスナーにより開閉可能に構成されている、請求項１に記載の花袋。
【請求項３】
前記第１の袋の下部の内部に、該第１の袋と共に二重袋を形成するように、上端が開口した非透水性の第２の袋が配設され、該第２の袋が前記貯水部を構成している、請求項１に記載の花袋。
【請求項４】
前記第２の袋が前記第１の袋に取り付けられている、請求項３に記載の花袋。
【請求項５】
前記止め具が延長部材を介して前記第１の袋に取り付けられている、請求項１に記載の花袋。
【請求項６】
前記延長部材が伸縮自在な材料で構成されている、請求項５に記載の花袋。
【請求項７】
前記第１の袋の上端部に取手が設けられている、請求項１に記載の花袋。
【請求項８】
前記第１の袋に、前記止め具を収容するためのポケットが形成されている、請求項１に記載の花袋。
【発明の詳細な説明】
【技術分野】
【０００１】
本発明は、生け花に用いる花材を持ち運びするための花袋に関する。
【背景技術】
【０００２】
従来、生け花の稽古の行き帰りに花材を持ち運びするため、種々の花袋が用いられている。しかし、従来の花袋には水入れが付いていなかったので、持ち運びの際に花材が水切れを起こし傷むおそれがあった。そこで、花袋の底部に給水スポンジが配設された花袋が開示されている（特許文献１参照）。このような花袋を用いると、花材が給水スポンジから水を吸収することができるため、持ち運びの際に花材を長持ちさせることができる。
【特許文献１】実開昭６２−１６１６８５号公報
【発明の開示】
【発明が解決しようとする課題】
【０００３】
しかしながら、特許文献１の構成においては、花材を保存しているときに花袋が倒れる可能性があり、この場合には花材を傷めるという問題を有していた。特に、迅速に花材をいけなければならない研究会等においては、花材をいける作業を急ぐため、花袋を倒してしまう場合が頻繁に起こる。
【０００４】
本発明は上記のような課題を解決するためになされたもので、花材を長持ちさせることができると共に、花材を保存しているときに倒れることが防止された花袋を提供することを目的とする。
【課題を解決するための手段】
【０００５】
上記課題を解決するために、本発明の花袋は、上端に開閉可能な開口部を有する第１の袋と、前記第１の袋の下部に設けられた貯水部と、前記第１の袋の外の上端部に取り付けられ該第１の袋を他の物につなぎ止めるための止め具と、を備える。
【０００６】
このような構成とすると、止め具により花袋を他の物につなぎ止めることにより、生け花をいける直前まで作業者のそばで花材を保存することができと共に、花袋が倒れることが防止され、花袋に入れられた花材の損傷が抑制される。
【０００７】
前記第１の袋の開口部が該開口部に設けられたファスナーにより開閉可能に構成されていてもよい。
【０００８】
このような構成とすると、花袋の中に花材を出し入れすることが容易になる。
【０００９】
前記第１の袋の下部の内部に、該第１の袋と共に二重袋を形成するように、上端が開口した非透水性の第２の袋が配設され、該第２の袋が前記貯水部を構成していてもよい。
【００１０】
このような構成とすると、簡単に貯水部を構成することができる。
【００１１】
前記第２の袋が前記第１の袋に取り付けられていてもよい。
【００１２】
このような構成とすると、第２の袋が第１の袋の内部で位置決めされるため、貯水部から水がこぼれることが防止される。
【００１３】
前記止め具が延長部材を介して前記第１の袋に取り付けられていてもよい。
【００１４】
このような構成とすると、花袋を他の物につなぎ止めることが便利になる。
【００１５】
前記延長部材が伸縮自在な材料で構成されていてもよい。
【００１６】
このような構成とすると、花袋と他の物とが離れている場合においても、止め具を介して花袋を立てることができる。
【００１７】
前記第１の袋の上端部に取手が設けられていてもよい。
【００１８】
このような構成とすると、取手を持つことにより花袋の持ち運びが容易になる。
【００１９】
前記第１の袋に、前記止め具を収容するためのポケットが形成されていてもよい。
【００２０】
このような構成とすると、止め具が邪魔にならず、花袋の持ち運びが容易になる。
【発明の効果】
【００２１】
本発明の花袋は、花材を生け花としていける直前まで花材を保存することができると共に、この保存中に花袋が倒れることが防止されるという効果を奏する。
【発明を実施するための最良の形態】
【００２２】
以下、本発明の実施形態を、図面を参照しながら説明する。なお、以下では、全図面を通じて同一又は相当する要素には同一の符号を付し、重複する説明を省略する。
【００２３】
（第１実施形態）
図１は、本発明の第１実施形態の花袋の概略構成を示す図であって、（ａ）は正面図、（ｂ）は背面図である。図２は、図１の花袋に用いる第２の袋を示す図であって、（ａ）は開いた状態を示す正面図、（ｂ）は閉じた状態を示す正面図である。図３は、図１の花袋の使用状態を示す概略図である。以下、図１乃至図３を参照しながら、本実施形態の花袋について説明する。
【００２４】
図１及び図２に示すように、本実施形態の花袋１００は、第１の袋（外袋）１０と、該第１の袋１０の下部に設けられた第２の袋（内袋、貯水部）２０と、前記第１の袋１０の外の上端部に取り付けられた止め具５０とを含んで構成される。
【００２５】
第１の袋１０は、本実施形態では、縦長に形成されている。第１の袋１０の上端には、開口（開口部）１４が形成されている。第１の袋１０の側部には、ファスナー１２が設けられている。ファスナー１２は、第１の袋１０の側部における上端部から略中央にかけて設けられている。このファスナー１２を開／閉することにより、開口１４が開度を調整できるよう構成されている。開口１４は、第１の袋１０の高さ方向のほぼ中央まで開度を調整できるように構成されている。これにより、ファスナー１２を開けて花袋１００の内部に花材８０を入れやすくなる。第１の袋１０は、非透水性の材料で構成することが好ましい。第１の袋１０を構成する材料としては、ナイロン、ポリ塩化ビニル、ポリエチレン、防水処理を施した織布等が用いられる。第１の袋１０の上端部には開口１４を囲むように筒部１０ａが形成されており、この筒部１０ａに紐状部材１１が通されている。この紐状部材１１を引っ張ることにより、開口１４がすぼめられる。これにより、第１の袋１０に入れられた花材８０のぐらつきが防止される。
【００２６】
また、第１の袋１０は、第２の袋２０に水を入れたときに自立するように所定の剛性と形状とを備えるように形成されている。第１の袋１０の所定の剛性としては、第２の袋２０に水を入れた状態で、第２の袋２０を第１の袋１０の内部に収容したときに略柱状の形状を維持することのでき、かつ、折りたたむことのできる程度の剛性を備えていることが好ましい。また、第１の袋１０の所定の形状としては、第２の袋２０に水を入れた状態で、第２の袋２０を第１の袋１０の内部に収容したときに、第１の袋１０の底が平たくなるように形成され、かつ、全体として略柱状の形状を備えていることが好ましい。
【００２７】
第１の袋１０の内部には、第２の袋２０が設けられている。第２の袋２０は、第１の袋１０の高さ方向における中央部よりも下側の部分に設けられている。第２の袋２０は、その開口２４と第１の袋１０の開口１４とが上面視においてほぼ一致するよう、第１の袋１０の内部に設けられている。すなわち、第２の袋２０は、第１の袋１０に対して二重袋を形成するように構成されている。第２の袋２０は、ここでは、第１の袋１０に取り出し可能に収容されている。なお、第２の袋２０は、第１の袋１０に取り付けられていてもよい。例えば、第１の袋１０と第２の袋２０とを溶着させたり、接着剤を用いて接着させたり等することにより、第１の袋１０に第２の袋２０を取り付ける。このようにすると、第２の袋２０が第１の袋１０の内部において位置決めされ、第２の袋２０から水がこぼれることが防止される。第２の袋２０は、非透水性の材料で構成されている。第２の袋２０を構成する材料としては、ナイロン、ポリ塩化ビニル、ポリエチレン、防水処理を施した織布等が用いられる。これにより、第２の袋２０の内部から漏れることなく水２５が貯められる。この水２５に花材８０の切り口をつけることにより、花材８０を長持ちさせることができる。第２の袋２０の上端部には開口２４を囲むように筒部２０ａが設けられており、この筒部２０ａに紐状部材２１が通されている。紐状部材２１には、止め部材２２が設けられている。紐状部材２１を両端から引っ張り、その状態で止め部材２２によって止めることにより、第２の袋２０の開口２４がすぼめられる（図２（ｂ）参照）。このように、第２の袋２０の開口２４から花材８０を挿入した後に紐状部材２４を引っ張ると、花材８０が第２の袋２０の開口２４から抜けにくくなり、花材８０の切り口が水２５の表面から離れることが防止される。
【００２８】
第１の袋１０の上端には、一対の取手３０が設けられている。一対の取手３０は、それぞれ輪状に形成されている。この取手３０を持つことにより、花袋１００の持ち運びが容易になる。
【００２９】
第１の袋１０の上端部の近傍には、ポケット４０が形成されている。ポケット４０の開口の近傍には、延長部材６０を介して止め具５０が取り付けられている。止め具５０は公知のクリップで構成されており、このようなクリップとしては、例えば、金属製のものや樹脂製のものを用いることができる。延長部材６０は、紐状の部材で構成されている。なお、延長部材６０は、伸縮自在な材料で構成してもよい。このような構成とすると、止め具５０と他の物との間に多少の距離がある場合においても、止め具５０を用いてつなぎ止めることができ、花袋１００を立てておくことができる。なお、止め具５０は、ポケット４０に収納することが可能である。したがって、止め具５０を他の物につなぎ止める場合以外、例えば、花袋１００を持ち運びする際においても、止め具５０が邪魔にならない。
【００３０】
以上のように構成された花袋１００の使用方法について、図３を参照しながら説明する。
【００３１】
まず、花材８０を持ち運びする際の使用方法について説明する。この場合には、ファスナー１２を開き、第１の袋１０の開口１４を開くと共に、第１の袋１０の内部の第２の袋２０の開口２４を開く。この状態で、第２の袋２０の内部に水２５を補給する。次に、第２の袋２０の開口２４から花材８０を、その切り口を先にして入れる。花材８０の切り口が第２の袋２０内の水２５の水面よりも低い位置になるようにし、紐状部材２４を引っ張って、第２の袋２０の開口２４を適宜閉める。その後、第１の袋１０のファスナー１２を閉じ、略垂直になった状態で取手３０を持って、持ち運びする。
【００３２】
次に、花材８０を花器８１にいける場合の使用方法について説明する。この場合には、止め具５０でテーブル８５を挟むようにして、花袋１００をテーブル８５につなぎ止める。これにより、花袋１００が、その開口１４を上にした状態で立てられる（図３参照）。したがって、作業者が花材８０を花器８１にいけている最中に、あやまって花袋１００を倒すことが防止される。
【００３３】
前述の事項を総括すると、本発明の花袋１００は、以上のような構成としたため、生け花をいける直前まで作業者のそばに花袋１００をおくことができる。また、花袋１００が倒れることが防止され、花袋１００に入れられた花材８０の損傷が抑制される。さらに、狭いスペースで急いで花材８０をいける場合でも、あやまって花袋１００を倒すことが防止される。
【００３４】
また、ポケット４０に止め具５０を収容することができるので、花袋１００の持ち運びが容易になる。
【００３５】
なお、上記止め具５０としてのクリップにマグネットが取り付けられていてもよい。また、上記止め具５０としてのクリップを、磁性を帯びた材料で構成してもよい。このような構成とすると、他の物がテーブル等の場合には、クリップでテーブル等を挟むことにより花袋１００を立てておくことができる。一方、他の物が金属材料で構成されている場合には、マグネット又はクリップを介して花袋１００を立てておくことができる。
【００３６】
［第１変形例］
図４は、図１の花袋の第１変形例を示す概略図である。以下、図４を参照しながら、本変形例の花袋について説明する。
【００３７】
本変形例の花袋１００では、第１実施形態における止め具５０の構成が変更されている。すなわち、本変形例においては、図４に示すように、止め具５０は延長部材６０の一端とこの延長部材６０の所定の位置に取り付けられた一対の面ファスナー５１で構成されている。一対の面ファスナー５１を接合することにより、延長部材６０がリング状に形成される。このリング状に形成された部分に、他の物を通すことができるようになる。それ以外の構成については、上記第１実施形態の花袋と同様である。
【００３８】
このような構成とすると、例えば、テーブル８５等の脚８６や骨組み８７等に面ファスナー５１を介して花袋１００をつなぎ止めることができ、花袋１００を立てておくことができる。したがって、本変形例の花袋１００においても、上記第１実施形態の花袋と同様の効果を奏する。
【００３９】
［第２変形例］
図５は、図１の花袋の第２変形例を示す概略図である。以下、図５を参照しながら、本変形例の花袋について説明する。
【００４０】
本変形例の花袋１００では、第１実施形態における止め具５０の構成が変更されている。すなわち、本変形例においては、図５に示すように、止め具５０は延長部材６０の先端近傍に取り付けられたマグネット５２で構成されている。それ以外の構成については、上記第１実施形態の花袋と同様である。
【００４１】
このような構成とすると、例えば、テーブル８５、テーブル８５の脚８６、テーブル８５の骨組み８７等が金属材料で構成されている場合においても、マグネット５２をテーブル８５、テーブル８５の脚８６、テーブル８５の骨組み８７等に付けることにより、花袋１００を立てておくことができる。したがって、本変形例の花袋１００においても、上記第１実施形態の花袋と同様の効果を奏する。
【００４２】
（第２実施形態）
図６は、本発明の第１実施形態の花袋の概略構成を示す斜視図である。図７は、図６の花袋における止め具の構成を示す正面図である。図８は、図６の花袋における第２の袋の概略構成を示す図であって、（ａ）は斜視図、（ｂ）は平面図である。なお、図６においては、Ａの方向から見た矢視図を引き出し線を用いて記載している。以下、図６乃至図８を参照しながら、第２実施形態の花袋について説明する。
【００４３】
本実施形態の花袋１００においては、第１の袋１０の一方の側面に第１のマチ部１５Ａが設けられ、他方の側面に第２のマチ部１５Ｂが設けられている。第１のマチ部１５Ａの谷になる部分には、ファスナー１２が取り付けられている。ファスナー１２は、第１の袋１０の開口１４から、第１の袋１０の高さ方向における略半分の位置に至るように形成されている。第２のマチ部１５Ｂの谷になる部分であって、第１の袋１０の高さ方向における略半分の位置には、紐７０が取り付けられている。紐７０は、ここでは、２本、取り付けられている。花袋１００の内部に花材を入れた状態で紐７０を結ぶことにより、花材のぐらつきを抑制することができる。第２のマチ部１５Ｂの谷になる部分の上部には、延長部材６１が取り付けられている。延長部材６１は、ここでは、２つの輪６１Ａ，６１Ｂが連結された形状に構成されている。これにより、後述する止め具５３を取り付ける位置を調整することができる。
【００４４】
延長部材６１には、止め具５３（５０）が取り外し可能なように取り付けられている。止め具５３は、図７に示すように、公知のテーブルクロスストッパー（朝日プラスチック（株）社製）で構成される。止め具５３は、金属（ここでは、鉄にニッケルメッキを施したもの）で構成されたコの字状部材５４と、金属（ここでは、ステンレス）で構成されたＭ字状の板ばね５５と、を主要な構成要素として備えている。コの字状部材５４と板ばね５５とは、樹脂製の円筒状の取付部材５６を介して取り付けられている。取付部材５６は、コの字状部材５４の一方の端部を含む一辺に、板ばね５５の一方の端部を含む一辺を添わせた状態で、該コの字状部材５４の一方の端部を含む一辺に嵌入されるようにして、コの字状部材５４に板ばね５５を取り付けている。コの字状部材５４の他方の端部を含む一辺には、樹脂製の扁平な中空状の第１保護部材５８が挿通されている。板ばね５５の他方の端部を含む一辺には、樹脂製の円筒状の第２保護部材５７が挿通されている。以上の構成により、板ばね５５を収縮させた状態で、第１保護部材５８と第２保護部材５７との間に他の物、例えば、テーブルの角等を挟むと、板ばね５５の弾性力により第１保護部材５８と第２保護部材５７との間にテーブルの角等が強固に固定され、ひいては、花袋１００をテーブルの角等に取り付けることができる。その際、第１保護部材５８及び第２保護部材５７が設けられているため、テーブルの角等を傷つけることが抑制される。
【００４５】
第１の袋１０の正面には、収容部材４１が取り付けられている。これにより、上端が開口したポケット４２が形成される。収容部材４１の内側には、環状部材７１が取り付けられている（図６のＡ方向からの矢視図を参照）。環状部材７１の輪になった部分には、面ファスナー７３が挿通されている。この面ファスナー７３を接合することにより、花袋１００を他の物につなぎとめることが可能になる。すなわち、他の物の形状及び位置に応じて、止め具５３（５０）と面ファスナー７３とを選択することが可能になる。さらに、止め具５３（５０）を延長部材６１から取り外した場合には、この止め具５３（５０）をポケット４２内に収容することができる。
【００４６】
第１の袋１０の内部かつ下部には、上部が開口した円筒状の第２の袋２０が配設されている。第２の袋２０は、第１の袋１０の高さ方向における中央部よりも下側の部分に設けられている。第２の袋２０は、その開口２４と第１の袋１０の開口１４とが上面視においてほぼ一致するよう、第１の袋１０の内部に設けられている。すなわち、第２の袋２０は、第１の袋１０に対して二重袋を形成するように構成されている。第２の袋２０は、ここでは、第１の袋１０に取り出し可能に収容されている。なお、第２の袋２０は、第１の袋１０に取り付けられていてもよい。第２の袋２０の底は、ここでは略円形状に形成されている。そして、第２の袋２０を第１の袋１０の内部に収容したときに、第１の袋１０の底の形状が第２の袋２０の底の形状に依存して変形される。これにより、花袋１００が自立しやすくなる。第２の袋２０は、非透水性の材料で構成され、ここでは、ＥＶＡ樹脂（エチレン−酢酸ビニル共重合樹脂）で構成されている。もちろん、第２の袋２０は、非透水性のその他の材料で構成されていてもよい。なお、第２の袋２０は、その内部２４に水を入れた場合において、折りぐせがつかずその形状を維持できる程度の剛性を備えていてもよい。このような構成により、第２の袋２０の内部に水を入れた状態で第１の袋１０に収容した際に、水がこぼれることが抑制される。一方、第２の袋２０は、その内部２４から水を出した場合においては、持ち帰りの際に折りたためて鞄等に収納できる程度の剛性を備えていてもよい。このような構成により、第２の袋２０をコンパクトにすることができ、持ち帰りの際に収納することが容易になる。さらに、第２の袋２０の内側は、撥水加工されていてもよい。
【００４７】
図８（ａ），（ｂ）に示すように、第２の袋２０の上部には、周方向に間隔を置いて複数（ここでは８個）の穴が設けられていて、各穴には金属製のリング２７が嵌め込まれている。リング２７の開口には、紐状部材２１が通されている。紐状部材２１における、リング２７から外側に取り出された部分には、公知の摺動式の止め部材２２が設けられている。このような構成とすると、第２の袋２０の内部２４に水を入れた後、紐状部材２１を引っ張って第２の袋２０の開口２４を収縮させた後、紐状部材２１を止め部材２２でとめることにより、第２の袋２０から水がこぼれることが抑制される。紐状部材２１の端部には、結び目が形成されている。これにより、止め部材２２が紐状部材２１から抜けて脱落することが防止される。
【００４８】
本実施形態の花袋１００においても、第１実施形態の花袋と同様の効果を奏する。
【００４９】
また、本実施形態の花袋１００は、上記のような構成としたため、花袋１００が止め具５０（テーブルクロスストッパー５３）によって他の物に強固に固定され、作業をする際に花袋１００を倒してしまうことがより抑制される。これにより、花袋１００に入れられた花材の損傷がさらに抑制される。
【００５０】
また、ポケット４２に、取り外した止め具５３（５０）を収容することができるので、花袋１００の持ち運びがさらに容易になる。
【００５１】
（第３実施形態）
図９は、本発明の第３実施形態の花袋の概略構成を示す斜視図である。以下、図９を参照しながら、本実施形態の花袋について説明する。
【００５２】
図９に示すように、本実施形態の花袋１００においては、第２実施形態の花袋における第１の袋１０の構成を変更している。本実施形態の花袋１００における第１の袋１０は、第２実施形態の花袋における第２の袋２０の高さを略２倍に延ばした縦長の形状に形成されている。第１の袋１０は、縦長の円筒状に形成されている。第１の袋１０の底は、ここでは略円形状に形成されている。第１の袋１０は、ここでは、ＥＶＡ樹脂で構成されている。もちろん、第１の袋１０は、その他の材料、例えば、ナイロン、塩化ビニル等で構成されていてもよい。すなわち、第１の袋１０は、第２の袋２０に水を入れた状態で第２の袋２０を第１の袋１０の内部に収容した場合において、略柱状の形状を維持することができ、かつ、折りたたむことのできる程度の剛性を備えた材料で構成すればよい。なお、第１の袋１０は、止め具５３（５０）を他の物に固定して立てたときに自立する程度の剛性を備えていることが好ましい。
【００５３】
第１の袋１０の上部には、第２の袋２０と同様に、周方向に間隔を置いて複数（ここでは８個）の穴が設けられていて、各穴には金属製のリング１７が嵌め込まれている。ここでは、リング１７は、８個、取り付けられている。リング１７の開口には、紐状部材１１が挿通されている。紐状部材１１におけるリング１７の開口から外側に延出した部分には、公知の摺動式の止め部材１６が設けられている。紐状部材１１におけるリング１７の開口から外側に延出した部分の端部には、結び目が形成されている。これにより、紐状部材１１から止め部材１６が抜けて脱落することが防止される。なお、本実施形態では、紐状部材１１の端部同士を結ぶことにより、他の物に取り付けることができる（紐状部材１１の端部が止め具５３（５０）の役割を果たす。）。この場合には、延長部材６１及び止め具５３（５０）を設けない構成とすることが可能である。それ以外の構成については、第２実施形態の花袋の構成と同じである。
【００５４】
本実施形態の花袋１００においても、第１実施形態及び第２実施形態の花袋と同様の効果を奏する。
【００５５】
また、本実施形態の花袋１００は、第１の袋１０の構成を簡易にしたため、その製造が容易になる。
【００５６】
（第４実施形態）
図１０は、本発明の第４実施形態の花袋の概略構成を示す斜視図である。以下、図１０を参照しながら、本実施形態の花袋について説明する。
【００５７】
図１０に示すように、本実施形態の花袋１００においては、第３実施形態の花袋における第２の袋２０の構成を変更している。本実施形態の花袋１００における第２の袋２０は、その本体が円柱状に形成されている。第２の袋２０は、ここでは、ＥＶＡ樹脂で構成されている。もちろん、第２の袋２０は、その他の材料で構成されていてもよい。第２の袋２０の上端には、一対の取手３１が設けられている。一対の取手３１は、それぞれ輪状に形成されている。この取手３１を持って引っ張ることにより、第１の袋１０から第２の袋２０を取り出すことができる。それ以外の構成については、第３実施形態の花袋との構成と同じである。
【００５８】
なお、本実施形態の花袋１００では、第１の袋１０をナイロン、ポリ塩化ビニル等で構成してもよい。その中でも、特に、透明な材料を用いることで、持ち運びの際の美感を保つことができる。
【００５９】
また、本実施形態の花袋１００では、第３実施形態の花袋と同様に、紐状部材１１の端部同士を結ぶことにより、他の物に取り付けることができる（紐状部材１１の端部が止め具５３（５０）の役割を果たす。）。この場合には、延長部材６１及び止め具５３（５０）を設けない構成とすることが可能である。
【００６０】
本実施形態の花袋１００においても、第１実施形態乃至第３実施形態の花袋と同様の効果を奏する。
【００６１】
また、本実施形態の花袋１００は、第１の袋１０及び第２の袋２０の構成を簡易にしたため、その製造がさらに容易になる。
【００６２】
なお、本発明の各実施形態および各変形例に示した花袋１００を、生け花以外の用途、例えば、切り花の輸送用に用いることも可能である。この場合には、輸送時において、止め具５０を適宜の箇所につなぎ止めることにより、花袋１００を立てておくことができる。これにより、切り花の保存ができると共に、花袋１００が倒れることが防止され、切り花を傷めることが抑制される。
【産業上の利用可能性】
【００６３】
本発明の花袋は、花材を生け花としていける直前まで花材を保存することができると共に、この保存中に花袋が倒れることが防止された花袋として有用である。
【図面の簡単な説明】
【００６４】
【図１】本発明の第１実施形態の花袋の概略構成を示す図であって、（ａ）は正面図、（ｂ）は背面図である。
【図２】図１の花袋に用いる第２の袋を示す図であって、（ａ）は開いた状態を示す正面図、（ｂ）は閉じた状態を示す正面図である。
【図３】図１の花袋の使用状態を示す概略図である。
【図４】図１の花袋の第１変形例を示す概略図である。
【図５】図１の花袋の第２変形例を示す概略図である。
【図６】本発明の第１実施形態の花袋の概略構成を示す斜視図である。
【図７】図６の花袋における止め具の構成を示す正面図である。
【図８】図６の花袋における第２の袋の概略構成を示す図であって、（ａ）は斜視図、（ｂ）は平面図である。
【図９】本発明の第３実施形態の花袋の概略構成を示す斜視図である。
【図１０】本発明の第４実施形態の花袋の概略構成を示す斜視図である。
【符号の説明】
【００６５】
１０  第１の袋（外袋）
１０ａ，２０ａ  筒部
１１，２１  紐状部材
１２  ファスナー
１４，２４  開口
１５Ａ  第１のマチ部
１５Ｂ  第２のマチ部
１６，２２  止め部材
１７，２７  リング
２０  貯水部（第２の袋（内袋））
２５  水
３０，３１  取手
４０，４２  ポケット
４１  収容部材
５０  止め具
５１  面ファスナー
５２  マグネット
５３  テーブルクロスストッパー（止め具）
５４  コの字状部材
５５  板ばね
５６  取付部材
５７，５８  保護部材
６０，６１  延長部材
６１Ａ，６１Ｂ  輪
７０  紐
７１  環状部材
７３  面ファスナー
８０  花材
８１  花器
８５  テーブル
８６  テーブルの脚
８７  テーブルの骨組み
１００  花袋
【図１】
2008133047.tif 000003
【図２】
2008133047.tif 000004
【図３】
2008133047.tif 000005
【図４】
2008133047.tif 000006
【図５】
2008133047.tif 000007
【図６】
2008133047.tif 000008
【図７】
2008133047.tif 000009
【図８】
2008133047.tif 000010
【図９】
2008133047.tif 000011
【図１０】
2008133047.tif 000012